(57)【要約】【課題】性能保証機関にとって負担が少なく、しかも信頼性の高い施工状況のデータを収集することができる施工管理システムを提供する。【解決手段】情報収集サーバ10は、ＩＤ番号ごとに、ＩＤ番号が記録されたタグを貼り付けた検査対象の画像データを含む検査データの収集を指示するための検査指示データをデータベース11に記憶する検査指示データ登録機能121と、携帯電話を用いて、ＩＣタグのＩＤ番号を読み取ってそのＩＤ番号を送ってきたときに、データベース11から、そのＩＤ番号に対応する検査指示データを読み出して、携帯電話の表示画面に検査指示データを表示する検査指示表示機能122と、検査指示データに基づいて収集した検査報告データを送信してきたときに、受信した検査報告データをデータベースに格納する報告データ格納機能125とを備える。【選択図】図２
2007183813.tif 000002
【特許請求の範囲】
【請求項１】
電気的に読み取り可能な識別情報と、前記識別情報を読み取る読取手段を備える携帯端末と、工事を検査する検査機関に設置される端末と、ネットワークを介して前記携帯端末及び前記端末との間で情報を送受することができるサーバとを備え、
前記サーバは、
前記識別情報ごとに、前記識別情報が記録されたタグを貼り付けた検査対象の画像データを含む検査データの収集を指示するための検査指示データを記憶する記憶手段と、
前記携帯端末を用いて、前記識別情報を読み取って前記識別情報を送ってきたときに、前記記憶手段から、その識別情報に対応する前記検査指示データを読み出して、前記携帯端末の表示画面に前記検査指示データを表示する検査指示表示手段と、
前記携帯端末を用いて、前記検査指示データに基づいて収集した前記検査対象の画像データを含む検査報告データを送信してきたときに、前記識別情報ごとに、受信した前記検査報告データを前記記憶手段に格納する報告データ格納手段と、
前記端末から要求されたときに、前記端末から送られた前記識別情報に基づいて、前記記憶手段に記憶する前記検査報告データを検索して、その検索結果を前記端末に対して送出する報告データ検索手段と、
を具備することを特徴とする施工管理システム。
【請求項２】
前記検査機関は住宅の性能を評価する性能保証機関であり、前記検査対象は住宅の性能評価のために必要なものであることを特徴とする請求項１記載の施工管理システム。
【請求項３】
前記サーバは、前記携帯端末から前記検査報告データが送られてきたときに、前記携帯端末の位置情報を取得し、その位置情報を前記検査報告データに付加する位置情報付加手段を具備することを特徴とする請求項１又は２記載の施工管理システム。
【請求項４】
前記サーバは、前記携帯端末から前記検査報告データが送られてきたときに、その送られてきた時のタイムスタンプ情報を取得して、そのタイムスタンプ情報を前記検査報告データに付加する時刻情報付加手段を具備することを特徴とする請求項１、２又は３記載の情報収集・提供システム。
【請求項５】
前記サーバは、前記端末から送られてきた、前記識別情報ごとの前記検査指示データを前記記憶手段に登録する検査指示データ登録手段を具備することを特徴とする請求項１、２、３又は４記載の施工管理システム。
【請求項６】
前記識別情報は、バーコード又はＩＣタグに記憶されたＩＤ情報であることを特徴とする請求項１、２、３、４又は５記載の施工管理システム。
【請求項７】
前記検査指示データは、工事現場毎に付与される固有の工事識別情報のデータを含むものであり、前記報告データ検索手段は、前記端末から要求されたときに、前記端末から送られてきた工事識別情報に対応する工事現場の検査対象に付与されている全ての前記識別情報に対応する前記検査報告データを検索して、前記端末に転送することを特徴とする請求項１、２、３、４、５又は６記載の施工管理システム。
【請求項８】
電気的に読み取り可能な識別情報と、前記識別情報を読み取る読取手段を備える携帯端末と、端末と、ネットワークを介して前記携帯端末及び前記端末との間で情報を送受することができるサーバとを備え、
前記サーバは、
前記識別情報ごとに、前記識別情報が記録されたタグを貼り付けた対象物の画像データを含むデータの収集を指示するための指示データを記憶する記憶手段と、
前記携帯端末を用いて、前記識別情報を読み取って前記識別情報を送ってきたときに、前記記憶手段から、その識別情報に対応する前記指示データを読み出して、前記携帯端末に前記指示データを表示する指示内容表示手段と、
前記携帯端末を用いて、前記指示データに基づいて収集した前記対象物の画像データを含む報告データを送信してきたときに、前記識別情報ごとに、受信した前記報告データを前記記憶手段に格納する報告データ格納手段と、
前記端末から要求されたときに、前記端末から送られた前記識別情報に基づいて、前記記憶手段に記憶する前記報告データを検索して、その検索結果を前記端末に対して送出する報告データ検索手段と、
を具備することを特徴とする情報収集システム。
【請求項９】
前記サーバは、前記携帯端末から前記報告データが送られてきたときに、前記携帯端末の位置情報を取得し、その位置情報を前記報告データに付加する位置情報付加手段を、具備することを特徴とする請求項８記載の情報収集システム。
【請求項１０】
前記サーバは、前記携帯端末から前記報告データが送られてきたときに、その送られてきた時のタイムスタンプ情報を取得して、そのタイムスタンプ情報を前記報告データに付加する時刻情報付加手段を、具備することを特徴とする請求項８又は９記載の情報収集システム。
【請求項１１】
前記識別情報は、ＩＣタグに記憶されたＩＤ情報又はバーコードであり、前記携帯端末は、前記ＩＣタグの情報或いは前記バーコードの情報を読み取る読取手段を備えることを特徴とする請求項８、９又は１０記載の情報収集システム。
【請求項１２】
携帯端末の読取手段を用いて電気的に読み取り可能な識別情報を読み取る工程と、
前記携帯端末を用いて読み取った識別情報をサーバに転送する工程と、
前記携帯端末からの前記識別情報を受信したサーバが、記憶手段から、その識別情報に対応する、前記識別情報が記録されたタグを貼り付けた検査対象の画像データを含む検査データの収集を指示するための検査指示データを読み出して、前記携帯端末の表示画面に前記検査指示データを表示する検査指示表示工程と、
前記携帯端末を用いて、前記検査指示データに基づいて収集した前記検査対象の画像データを含む検査報告データを前記サーバに転送する工程と、
前記検査報告データを受信したサーバが前記識別情報ごとに、受信した前記検査報告データを記憶手段に格納する報告データ格納工程と、
前記端末から要求されたときに、前記端末から送られた前記識別情報に基づいて、記憶手段に記憶する前記検査報告データを検索して、その検索結果を前記端末に対して送出する報告データ検索工程と、
を具備することを特徴とする施工管理方法。
【請求項１３】
携帯端末の読取手段を用いて電気的に読み取り可能な識別情報を読み取る工程と、
前記携帯端末を用いて読み取った識別情報をサーバに転送する工程と、
前記識別情報を受信したサーバが記憶手段から、その識別情報に対応する、前記識別情報が記録されたタグを貼り付けた対象物の画像データ含むデータの収集を指示するための指示データを読み出して、前記携帯端末に前記指示データを表示する指示表示工程と、
前記携帯端末を用いて、前記指示データに基づいて収集した前記対象物の画像データを含む報告データを送信する工程と、
前記報告データを前記サーバが受信したときに、前記識別情報ごとに、受信した前記報告データを前記記憶手段に格納する報告データ格納工程と、
前記端末から要求されたときに、前記端末から送られた前記識別情報に基づいて、前記記憶手段に記憶する前記報告データを検索して、その検索結果を前記端末に対して送出する報告データ検索工程と、
を具備することを特徴とする情報収集方法。
【発明の詳細な説明】
【技術分野】
【０００１】
本発明は、例えば、住宅の性能評価を行うための信頼性の高いデータを収集する施工管理システム及び情報収集システムに関するものである。
【背景技術】
【０００２】
近年、欠陥住宅、手抜き工事といった言葉が新聞、テレビ等で騒がれており、住宅の施工管理、品質保証の重要性が増している。住宅の品質保証は、着工前の設計図による性能保証機関の性能評価と、建築完了後の実地による性能審査により行われるのが一般的である。実地による性能審査（以下、実施審査とも称する）は、審査員等が実際に現場に足を運び、施工の状況を検査・確認することにより行われている。
【０００３】
一方、住宅メーカーは顧客に対して住宅全体の品質保証を行っているが、個々の施工箇所の品質は、住宅メーカーが依頼した工務店（施工業者）への依存が大きい。このため、特許文献１に開示されている工事品質管理システムが提案されている。この工事品質管理システムは、住宅メーカーが希望する住宅品質を維持・管理するために、住宅建築の現場の施工業者から、ネットワークを利用して携帯電話による施工評価用の現場の写真や報告書などのデータを収集するためのものである。
【０００４】
【特許文献１】特開２００３−３１６８５４号公報
【発明の開示】
【発明が解決しようとする課題】
【０００５】
しかしながら、従来の性能保証機関による実地審査では、以下のような問題点がある。
１．実地審査を行う回数は地理的な条件及び時間的な条件から、施工が全て終了した段階だけに限られ、施工期間中の施工状況を把握することは困難であった。また、施工期間中の施工状況を把握するには、多大なコストを要するという問題もある。
２．性能保証機関による実施審査は、住宅建築の施工現場での実地の検査であるため、施工業者側は工事を中断しなければならず、工事が遅延するとともに、余分なコストがかかるという問題があった。
３．従来の性能保証機関による実地審査が厳しく行われた場合、施工が全て終了した後の審査であるため、施工業者側にとって多くのプロセスを再実行しなければならず、施工業者にとって余分なコスト負担を強いることとなる。また、このため厳しい実地審査を躊躇せざるを得ないという問題があった。
【０００６】
一方、上述した従来の工事品質管理システムでは、施工評価用の現場の写真や報告書などのデータが本当に施工された場所の写真等のデータであるのかを確認する手段がなく、このため従来のシステムによって取得したデータは信憑性に欠けるという問題がある。
【０００７】
本発明は上記事情に基づいてなされたものであり、施工の進行状況に影響が少なく、また性能保証機関にとって負担が少なく、しかも信頼性の高い施工状況のデータを収集することができる施工管理システム及び情報収集システムを提供することを目的とするものである。
【課題を解決するための手段】
【０００８】
上記の目的を達成するための本発明係る施工管理システムは、電気的に読み取り可能な識別情報と、前記識別情報を読み取る読取手段を備える携帯端末と、工事を検査する検査機関に設置される端末と、ネットワークを介して前記携帯端末及び前記端末との間で情報を送受することができるサーバとを備え、前記サーバは、前記識別情報ごとに、前記識別情報が記録されたタグを貼り付けた検査対象の画像データを含む検査データの収集を指示するための検査指示データを記憶する記憶手段と、前記携帯端末を用いて、前記識別情報を読み取って前記識別情報を送ってきたときに、前記記憶手段から、その識別情報に対応する前記検査指示データを読み出して、前記携帯端末の表示画面に前記検査指示データを表示する検査指示表示手段と、前記携帯端末を用いて、前記検査指示データに基づいて収集した前記検査対象の画像データを含む検査報告データを送信してきたときに、前記識別情報ごとに、受信した前記検査報告データを前記記憶手段に格納する報告データ格納手段と、前記端末から要求されたときに、前記端末から送られた前記識別情報に基づいて、前記記憶手段に記憶する前記検査報告データを検索して、その検索結果を前記端末に対して送出する報告データ検索手段と、を具備することを特徴とするものである。
【０００９】
また、本発明の情報収集システムは、電気的に読み取り可能な識別情報と、前記識別情報を読み取る読取手段を備える携帯端末と、端末と、ネットワークを介して前記携帯端末及び前記端末との間で情報を送受することができるサーバとを備え、前記サーバは、前記識別情報ごとに、前記識別情報が記録されたタグを貼り付けた対象物の画像データを含むデータの収集を指示するための指示データを記憶する記憶手段と、前記携帯端末を用いて、前記識別情報を読み取って前記識別情報を送ってきたときに、前記記憶手段から、その識別情報に対応する前記指示データを読み出して、前記携帯端末に前記指示データを表示する指示内容表示手段と、前記携帯端末を用いて、前記指示データに基づいて収集した前記対象物の画像データを含む報告データを送信してきたときに、前記識別情報ごとに、受信した前記報告データを前記記憶手段に格納する報告データ格納手段と、前記端末から要求されたときに、前記端末から送られた前記識別情報に基づいて、前記記憶手段に記憶する前記報告データを検索して、その検索結果を前記端末に対して送出する報告データ検索手段と、を具備することを特徴とするものである。
【００１０】
また、本発明の施工管理方法は、携帯端末の読取手段を用いて電気的に読み取り可能な識別情報を読み取る工程と、前記携帯端末を用いて読み取った識別情報をサーバに転送する工程と、前記携帯端末からの前記識別情報を受信したサーバが、記憶手段から、その識別情報に対応する、前記識別情報が記録されたタグを貼り付けた検査対象の画像データを含む検査データの収集を指示するための検査指示データを読み出して、前記携帯端末の表示画面に前記検査指示データを表示する検査指示表示工程と、前記携帯端末を用いて、前記検査指示データに基づいて収集した前記検査対象の画像データを含む検査報告データを前記サーバに転送する工程と、前記検査報告データを受信したサーバが前記識別情報ごとに、受信した前記検査報告データを記憶手段に格納する報告データ格納工程と、前記端末から要求されたときに、前記端末から送られた前記識別情報に基づいて、記憶手段に記憶する前記検査報告データを検索して、その検索結果を前記端末に対して送出する報告データ検索工程と、を具備することを特徴とするものである。
【００１１】
また、本発明の情報収集方法は、携帯端末の読取手段を用いて電気的に読み取り可能な識別情報を読み取る工程と、前記携帯端末を用いて読み取った識別情報をサーバに転送する工程と、前記識別情報を受信したサーバが記憶手段から、その識別情報に対応する、前記識別情報が記録されたタグを貼り付けた対象物の画像データ含むデータの収集を指示するための指示データを読み出して、前記携帯端末に前記指示データを表示する指示表示工程と、前記携帯端末を用いて、前記指示データに基づいて収集した前記対象物の画像データを含む報告データを送信する工程と、前記報告データを前記サーバが受信したときに、前記識別情報ごとに、受信した前記報告データを前記記憶手段に格納する報告データ格納工程と、前記端末から要求されたときに、前記端末から送られた前記識別情報に基づいて、前記記憶手段に記憶する前記報告データを検索して、その検索結果を前記端末に対して送出する報告データ検索工程と、を具備することを特徴とするものである。
【発明の効果】
【００１２】
本発明の施工管理システムは、識別情報が記録されたタグを貼り付けた検査対象の画像データを含む各種の検査データの収集を指示するための検査指示データを用いて、検査対象の画像データの収集行うので、容易に、しかも信頼性の高い検査対象の画像データを確実に収集することができる。また、工事途中の検査対象の画像データも容易に収集することができる。
【００１３】
本発明の情報収集システムは、識別情報が記録されたタグを貼り付けた対象物の画像データを含む各種のデータの収集を指示するための指示データに基づいて画像データの収集を行うので、容易に、しかも信頼性の高い対象物の画像データを収集することができる。
【００１４】
本発明の施工管理方法は、識別情報が記録されたタグを貼り付けた検査対象の画像データを含む検査データの収集を指示するための検査指示データを用いて、検査対象の画像データの収集行うので、容易に、しかも信頼性の高い検査対象の画像データを収集することができる。また、工事途中の検査対象の画像データも容易に収集することができる。
【００１５】
本発明の情報収集方法は、識別情報が記録されたタグを貼り付けた対象物の画像データを含むデータの収集を指示するための指示データに基づいて画像データの収集を行うので、容易に、しかも信頼性の高い対象物の画像データを収集することができる。
【発明を実施するための最良の形態】
【００１６】
以下に、図面を参照して、本願に係る発明を実施するための最良の形態について説明する。図１は、本発明の一実施形態である施工管理システムの概略構成図である。
【００１７】
本実施形態の施工管理システムは、主として性能保証機関が住宅の性能評価を行うために利用するものであり、図１に示すように、ネットワーク上、ＡＳＰ（ Application Service Provider ）に配置された情報収集サーバ１０と、性能保証機関に配置された端末２１と、カメラ付き携帯電話３１ａ，３１ｂ，３１ｃ・・・（以下、単に携帯電話３２とも表記する）と、携帯電話３２に接続してＩＣタグのＩＤ情報（以下、ＩＤ番号とも称する）を読み取るＩＣタグリーダ３２ａ，３２ｂ，３２ｃ・・・（以下、単にＩＣタグリーダ３２とも表記する）と、タイムスタンプサーバ４０と、位置情報提供サーバ５０と、ネットワーク６０と、複数のＩＣタグ（不図示）とを備えている。本実施形態で使用するＩＣタグは、検査対象に貼り付けて使用することができる粘着ラベルタイプのものであり、ラベルの表面には、ＩＣタグに記憶されているＩＤ番号が目視できるように印刷されている。
【００１８】
情報収集サーバ１０と端末２１と携帯電話３１とタイムスタンプサーバ４０と位置情報提供サーバ５０とは、ネットワーク６０を介して接続されている。ここでネットワークとしては、例えば、インターネットやイントラネット等が用いられる。なお、図１では、説明を簡略化するために省略しているが、携帯電話３１は、実際には電話会社のコンピュータシステムを介してネットワークに接続されている。図６及び図７においても同様の省略を行っている。
【００１９】
情報収集サーバ１０は、性能保証機関が性能評価を行うために必要とする検査対象の各種の検査データを管理するデータベースサーバである。この情報収集サーバ１０は、あらかじめ性能保証機関の担当者により端末２１から送られた検査指示データをデータベース化して格納するとともに、携帯電話３１から送られてきた検査報告データをデータベース化して格納する。ここで、検査指示データとは、住宅の施工業者に対して住宅の性能評価に必要な検査対象の各種データの収集を指示するためのものであり、検査対象の名称、検査内容（検査対象の撮影箇所を指示するもの）等のデータを含むものである。また、検査報告データとは、検査指示データに基づいて行なわれた検査により取得したデータであり、写真撮影した画像データや、検査に関するコメント等のデータを含むものである。
【００２０】
端末２１は、性能評価を行うための性能保証機関に設置されているものである。性能保証機関の担当者は端末２１を用いて情報収集サーバ１０に検査指示データの登録を行う。また、性能保証機関の担当者は端末２１を用いて、携帯電話３１から送信されて情報収集サーバ１０に格納されている検査報告データを検索・閲覧することができる。
【００２１】
また、端末２１はＩＣタグリーダ２２を備えている。ＩＣタグリーダ２２は、ＩＣタグに内蔵されているメモリの所定の情報を非接触で読み取るための装置である。本実施形態での所定の情報とは、固有の識別情報であるＩＤ番号である。情報収集サーバ１０に登録する検査指示データは、ＩＤ番号に基づいて作成される。また、情報収集サーバ１０は、このＩＤ番号及び後述する工事番号を基に全てのデータの管理を行っている。
【００２２】
携帯電話３１としては、市販されている各種のカメラ機能付きの携帯電話を用いることができる。また、本実施形態の携帯電話３１は、外付けのＩＣタグリーダ３２を備えている。現場で施工に携わるそれぞれの施工業者の担当者は、携帯電話３１を用いて、検査指示データを情報収集サーバ１０から受信することができる。具体的には、担当者がＩＣタグリーダ３２で読み取ったＩＤ番号を、携帯電話３１を用いて情報収集サーバ１０に転送する。情報収集サーバ１０は転送されたＩＤ番号に基づいて、あらかじめ登録された検査指示データを検索し、そのＩＤ番号と一致する検査指示データを、そのＩＤ番号を転送してきた携帯電話３１に転送して表示する。施工業者の担当者は、表示されている検査指示データに従って、携帯電話のカメラ機能を用いて性能評価に必要な検査対象の写真を撮影して画像データを収集し、検査報告データを作成し、作成した検査報告データを携帯電話３１用いて情報収集サーバ１０に転送することができる。
【００２３】
タイムスタンプサーバ４０は、時刻データを提供するものであり、このタイムスタンプサーバを用いることにより、信頼性の高い時刻データを取得することができる。タイムスタンプサーバ４０としては、例えばセイコーインスツルメンツ株式会社のタイムスタンプサーバ「Ｎｉ−５１１０Ａ」を使用することができる。タイムスタンプサーバ４０は、情報収集サーバ１０からの要求に応じて改竄不可能な公証時刻データを情報収集サーバ１０に送信する。
【００２４】
位置情報提供サーバ５０は、携帯電話の固有のＩＤ情報（電話番号等）を基にして、その携帯電話の位置データを提供するものである。位置情報提供サーバ５０としては、例えば、ＧＰＳ衛星を利用した株式会社ＮＴＴドコモの位置情報提供システムを利用することができる。この位置情報提供システムは、携帯電話３１の利用者がいる位置のデータをリアルタイムに配信するものである。位置情報提供サーバ５０は、情報収集サーバ１０からの要求に応じて改竄不可能な公証位置データを情報収集サーバ１０に送信する。
【００２５】
ＩＣタグには、内蔵メモリに固有のＩＤ番号のデータが記録されている。性能保証機関の担当者は、性能評価を行う住宅の検査対象箇所が記載されている検査用の設計図と複数のＩＣタグを施工業者に渡しておく。施工業者の担当者は、検査対象の施工が終了すると検査用の設計図の記載に従って、その検査対象の所定の箇所にＩＣタグを貼り付ける。次に、ＩＣタグリーダ３２を用いて、貼り付けたＩＣタグのＩＤ番号を読み取って情報収集サーバ１０に転送する。情報収集サーバ１０は、そのＩＤ番号に対応する検査指示データを、その携帯電話に転送する。担当者は、その検査指示データに従って、そのＩＣタグが貼り付けられた検査対象の全体或いは部分を携帯電話のカメラ機能を用いて撮影して、その画像データ等を情報収集サーバ１０に転送する。なお、担当者は、撮影した写真からＩＣタグの表面に印刷されたＩＤ番号を目視することができるように撮影を行う。
【００２６】
次に、情報収集サーバ１０について説明する。図２は本実施形態である施工管理システムの情報収集サーバの概略機能ブロック図、図３は情報収集サーバに格納されている検査指示データの具体例を説明するための図、図４は情報収集サーバに格納されている公証付きの検査報告データの具体例を説明するための図である。
【００２７】
情報収集サーバ１０は、図２に示すように、データベース１１と、管理機能１２と、通信機能１３とを備えている。
【００２８】
管理機能１２は、データベース１１にある全てのデータをＩＤ番号や工事番号に基づいて管理するものである。管理機能１２は、端末２１から送られてきた、ＩＤ番号ごとの検査指示データを検査指示データベース１１１に登録する検査指示データ登録機能１２１と、検査指示表示機能１２２と、位置情報付加機能１２３と、時刻情報付加機能１２４と、報告データ格納機能１２５と、報告データ検索機能１２６とを含んでいる。これらの管理機能１２は、情報収集サーバ１０のＲＯＭやハードディスク（不図示）等に記憶されたプログラムにより実現される。
【００２９】
検査指示表示機能１２２は、携帯電話３１を用いて、ＩＣタグから読み取ったＩＤ番号を送ってきたときに、検査指示データベース１１１からそのＩＤ番号に対応する検査指示データを読み出して、その携帯電話３１の表示画面に検査指示データを表示する機能である。
【００３０】
位置情報付加機能１２３は、携帯電話３１から検査報告データが送られてきたときに、その時点の携帯電話の位置データを取得し、その位置データを検査報告データに付加する機能である。
【００３１】
時刻情報付加機能１２４は、携帯電話３１から検査報告データが送られてきたときに、その送られてきた時点の時刻データ（タイムスタンプ情報）を取得して、その時刻データを検査報告データに付加する機能である。
【００３２】
報告データ格納機能１２５は、携帯電話３１から送られてきた検査報告データに、その携帯電話３１の位置データと、受信したときの時刻データとが付加された公証付き検査報告データをＩＤ番号ごとに検査報告データベース１１２に格納する機能である。なお、報告データ格納機能１２５が新たな公証付きの検査報告データを格納したときには、その旨のメールを性能保証機関の端末２１に送るようにしてもよい。これにより、性能保証機関の担当者は、迅速に新たな公証付きの検査報告データの格納を知ることができ、略リアルタイムに検査対象の性能審査を行うことができる。
【００３３】
報告データ検索機能１２６は、端末２１から要求されたときに、端末２１から送られたＩＤ番号等に基づいて、検査報告データベースに格納している公証付き検査報告データを検索して、その検索結果を端末２１に対して送出する機能である。
【００３４】
本実施形態のデータベース１１には、住宅の施工業者に対して住宅の性能評価に必要な検査対象の各種データの収集を指示するための検査指示データを格納している検査指示データベース１１１と、検査指示データに基づいて行なわれた検査によって取得した公証付きの検査報告データを格納している検査報告データベースとがある。
【００３５】
検査指示データベース１１１に格納されている検査指示データには、図３に示すように、工事番号と、ＩＤ番号と、検査対象の撮影箇所を指示する検査内容１と、検査内容２と、検査内容３と、・・・、コメント欄とが含まれる。
【００３６】
工事番号とは、審査対象となる住宅建築の工事現場を識別するために付けられた番号である。一の工事現場に一の工事番号が付与される。また、１つの工事現場で住宅の性能評価に必要な検査対象は、複数箇所あり、したがって予め、性能保証機関において性能評価に必要な検査対象の箇所とその箇所に貼り付けるＩＣタグのＩＤ番号を設計図に記載して、検査用の設計図を作成しておく。検査対象は、住宅の柱や梁等の各部材やこれらの部材同士の接合部分等を含むものである。一の検査対象に対して一のＩＤ番号が付与される。
【００３７】
検査内容は、検査対象の撮影箇所を指示するものであり、例えば、図３に示すように、検査対象が床柱の場合、検査内容１では床柱の正面の状態を、検査内容２では床柱の裏面の状態を撮影することを指示している。この検査内容は、性能保証機関の審査官が行う実地審査の代わりに用いるものであり、各性能保証機関が自由に設定することができる。施工業者の担当者は、この検査内容に従って携帯電話のカメラ機能を用いて、床柱の正面の状態や裏面の状態を撮影し、これらの画像データを収集する。尚、検査対象により、検査内容は検査内容１で終わるものもあれば検査内容４、検査内容５、・・・と続くものもある。
【００３８】
コメント欄は、コメントを記入する欄であり、本実施形態でコメントとは、検査対象について補足して説明しなければならない事項を記述したテキストデータである。例えばコメントには、施工業者の担当者の氏名や、撮影者の氏名や、撮影状況の簡単な説明等が含まれる。
【００３９】
検査報告データベース１１２に格納される公証付きの検査報告データには、図４に示すように、ＩＤ番号と、写真ファイル名と、コメントと、時刻データと、位置データと、工事番号（図４では省略している）とが含まれる。これにより、性能保証機関２１の担当者は、端末２１からＩＤ番号や工事番号を用いて公証付きの検査報告データの検索・閲覧を行うことができる。
【００４０】
写真ファイル名とは、ＩＤ番号に対応するＩＣタグが貼り付けられた検査対象の画像データを格納しているファイルの名称のことである。画像データは、一つの検査内容に付き１枚とは限らず複数枚に及ぶこともある。性能保証機関の審査官は、この画像データを端末２１の画面に表示して、性能保証機関の指示する検査対象に指示通りにＩＣタグが貼り付けられているかを確認し、また、この画像データを見て住宅の品質の評価を行う。コメントとは、上述したように、検査対象について補足しなければならない事項を記述したテキストデータである。
【００４１】
時刻データは、検査報告データが情報収集サーバ１０に到達した時点の時刻を証明するデータである。情報収集サーバ１０は携帯電話３１からの検査報告データを受信すると同時に、タイムスタンプサーバ４０に時刻データを要求する。タイムスタンプサーバ４０は、情報収集サーバ１０の要求にしたがって、この時点の公証時刻データを送信する。
【００４２】
位置データとは、情報収集サーバ１０が検査報告データを受信したときの携帯電話３１の位置を証明するデータである。情報収集サーバ１０は、携帯電話３１から検査報告データを受信すると同時に、位置情報提供サーバ５０にその携帯電話３１の位置データを要求する。位置情報提供サーバ５０は、そのときの携帯電話３１ａの位置データを情報収集サーバ１０に送信する。
【００４３】
通信機能１３は、端末２１、携帯電話３１、タイムスタンプサーバ４０、及び位置情報提供サーバ５０との間でネットワークを介して通信を行う機能である。
【００４４】
次に、携帯電話３１の構成について説明する。図５は、本実施形態である施工管理システムの携帯電話の概略機能ブロック図である。本実施形態の携帯電話３１は、図５に示すように、液晶を用いた表示部３１１と、入力部３１２と、通信部３１３と、記憶部３１４と、カメラ３１５と、制御部３１６と、外付けのＩＣタグリーダ３２ａとを備えている。本実施形態では、携帯電話３１として市販されているものを使用しているので、その詳細な説明は省略する。尚、本実施形態では、カメラ３１５が携帯電話に内蔵されているものを用いたが、携帯電話にコードを用いて接続するカメラや、携帯電話と赤外線を用いて通信するカメラ等を用いてもよい。これらの外付けのカメラを用いることにより、より解像度の高い鮮明な画像データを収集することができる。
【００４５】
ＩＣタグリーダ３２は、ＩＣタグの内蔵メモリに記憶されている情報を読み取るためのものである。ＩＣタグリーダは、ＩＣタグと、通信を行うアンテナと、各部の動作を制御する制御部とを備える。ＩＣタグリーダは、制御部より信号が送られるとＩＣタグ読取可能となり、施工業者の担当者がＩＣタグにＩＣタグリーダ３２かざすだけで、ＩＣタグに内蔵されているメモリの情報を読み取ることができる。尚、ＩＣタグリーダは公知のものを用いることができる。また、本実施形態でのＩＣタグリーダ３２は、携帯電話３１と接続して利用するものであるが、ＩＣタグリーダが携帯電話３１に内蔵されている場合は、その内蔵されているＩＣタグリーダを用いてもよい。
【００４６】
携帯電話３１から画像データを情報収集サーバ１０に転送するには、例えば情報収集サーバ１０にログインして、画像データ転送用の専用フォーマットを送ってもらい、その専用フォーマットを用いて、ＩＤ番号やコメントを入力し、画像データを添付して転送してもよいし、或いは、予め定めた一定の形式に従って、読み取ったＩＤ番号にコメントを付加したメールを作成し、そのメールに画像データを添付して送るようにしてもよい。
【００４７】
次に、本実施形態である施工管理システムの処理手順について説明する。まず、予め、検査指示データを作成して情報収集サーバ１０に登録する。性能保証機関の担当者は、設計図上で検査対象の箇所と、その箇所に貼付けるＩＣタグのＩＤ番号を決めて、その設計図上の検査対象箇所に印を付けると共にそこに貼り付けるＩＣタグのＩＤ番号を記入して、検査用の設計図を作成する。次に、担当者が端末２１に接続されているＩＣタグリーダ２２によりＩＣタグ情報を読み込むと、その端末２１の画面には、図３に示す検査指示データを作成するための表形式の作成画面が自動で表示される。担当者は、表示された作成画面にしたがって、各ＩＤ番号ごとに、工事番号、検査対象、検査内容を記入して、検査指示データを作成する。なお、ＩＤ番号は、ＩＣタグの情報を読み込んで、作成画面が表示されたときに、自動で記入される。また、検査指示データは、既存の表計算ソフトを用いて作成することも可能である。
【００４８】
当該住宅の検査に用いる全てのＩＤ番号について検査対象箇所等の入力を終えたら、作成した検査指示データを端末２１から情報収集サーバ１１に転送する。情報収集サーバ１０は、この検査指示データを受信すると、この検査指示データを検査指示データベース１１１に登録する。
【００４９】
また、性能保証機関の担当者は、施工業者にあらかじめＩＣタグとＩＤ番号が記載された検査用の設計図を渡しておく。本実施形態で使用するＩＣタグは、内蔵メモリに記録されているＩＤ番号がＩＣタグのラベルの表面に印刷されている。施工業者は、検査用の設計図に表示されている検査対象箇所の印及びＩＤ番号と、ＩＣタグの表面に印刷されているＩＤ番号に基づいて、指示された検査対象の箇所に指示されたＩＤ番号のＩＣタグを貼付ける。
【００５０】
図６は携帯電話を用いて情報収集サーバから検査指示データを受信するときの処理手順を説明するための図である。施工業者の担当者は、検査対象箇所の施工が終了すると、終了した検査対象の部材に性能保証機関から渡されたＩＣタグを設計図の指示に従い貼り付ける。その後、携帯電話に接続されているＩＣタグリーダ３２でＩＣタグの情報を読み取って、そのＩＤ情報を情報収集サーバ１０に転送する（Ｓ１）。
【００５１】
情報収集サーバ１０がＩＣタグ情報を受信すると、情報収集サーバ１０ではＩＣタグ情報であるＩＤ番号を基に、検査指示データベース１１１を検索する（Ｓ２）。検索の結果、検査指示データベース１１１に携帯電話３１から送信されたＩＤ番号と一致する検査指示データがあれば、その検査指示データを読出し（Ｓ３）、その検査指示データを携帯電話３１の表示部に表示する（Ｓ４）。
【００５２】
施工業者の担当者は、携帯電話３１に表示された検査指示データに基づいて必要な画像データを収集する。収集した画像データは、ＩＤ番号やコメントと共に、検査報告データとして、情報収集サーバ１１に転送する。
【００５３】
図７は情報収集サーバが携帯電話から検査報告データを受信したときの処理手順を示す図である。情報収集サーバ１１は、検査報告データを受信すると（Ｓ１１）、タイムスタンプサーバ４０に受信した時点の時刻データを要求して取得し（Ｓ１２〜Ｓ１５）、位置情報提供サーバ５０には、検査報告データを送信した携帯電話３１の電話番号を送って、その携帯電話の位置データを要求して位置データを取得する（Ｓ１６〜Ｓ１９）。
【００５４】
次に、情報収集サーバ１０は、取得した公証時間データ及び公証位置データを、携帯電話３１ａから送信された検査報告データに付与することにより、公証付きの検査報告データを生成し、この公証付きの検査報告データを検査報告データベースに登録する（Ｓ２０）。
【００５５】
また、性能保証機関の担当者が端末２１を用いて、性能評価に必要なＩＤ番号或いは工事番号を入力して検索を依頼してきたときには、検査報告データベース１１２から、そのＩＤ番号或いは工事番号に対応する公証付きの検査報告データ読み出して、その端末２１に転送する。したがって、性能保証機関の担当者は、ＩＤ番号或いは工事番号を入力するだけで、性能評価に必要な検査対象の画像データを閲覧・取得することができ、従来の実地審査を行わなくても、信頼性の高い審査を行うことができる。尚、収集したデータは、性能保証機関から依頼があるまで、或いは所定の期間が経過するまで、証拠情報として情報収集サーバ１０に保管される。
【００５６】
性能保証機関の担当者は、端末２１上で公証付きの検査報告データを見て、データに間違いがないか検査することができ、また施工状態の性能評価の判定を行うことができる。また、性能評価の判定に必要なデータが不足している場合には、新たな検査対象や検査内容を追加して検査指示データベース１１１に登録し、施工業者にその旨を通知し、修正した検査用の設計図及び必要なＩＣタグを送付する。
【００５７】
この通知及び送付を受けた施工業者の担当者は、その追加された情報に従ってＩＣタグを用いて、上述した方法で検査報告データを再度収集する。収集した検査報告データは、情報収集サーバ１０に送信する。情報収集サーバ１０は、送られてきた検査報告データを上述した方法で検査報告データベース１１２に格納する。これにより、性能保証機関の担当者は、新たなデータを加えて、性能評価の判定を行うことができる。このように性能評価の判定が正常にできるまで、同様の処理を繰返すことできる。
【００５８】
上記の本実施形態の施工管理システムによれば、施工業者は、検査対象毎にＩＣタグを貼り付けて撮影した画像データを情報収集サーバに転送しなければならないので、従来のシステムで可能であった他の画像データを流用する等の不正を未然に防止することができる。また、性能保証機関では、ＩＣタグが貼り付けられた検査対象の画像データを使用して審査するので、検査対象のみの画像データを用いて行う審査に比べて、審査対象を容易且つ迅速に認識することができる。
【００５９】
また、本実施形態によれば、工事の完了前に、複数回にわたって検査データを取得して、住宅の性能検査を行うことができるので、従来の性能審査に比べて、この点でも信頼性の高い審査を行うことができる。
【００６０】
また本実施形態によれば、ＩＣタグを利用するために、検査報告データを作成する施工業者は、検査指示データで指示されている検査対象の写真の撮影とコメントを入力するだけでよい。したがって、施工現場での作業を大幅に中断することなく、データを収集することができ、従来の方法に比べて施工業者の負担の軽減を図ることができる。また、性能保証機関の審査員がわざわざ出向いて実地検査をしなくても性能評価の審査が可能となるので、多数の住宅を審査する性能保証機関にとって、従来に比べて少ない人員でより信頼性の高い審査が可能となる。
【００６１】
また本実施形態によれば、各施工業者は、検査対象の工事終了毎に検査報告データを作成して転送することができるので、性能評価のための情報をリアルタイムに、且つ多数収集することができる。さらに、性能評価のための情報が不備なときには、施工業者に追加情報を収集させることもでき、情報の不備に対しても迅速に対応することができる。このため、従来の方法に比べて後々になって施工のやり直しをしなければならいリスクを大幅に低減することができる。
【００６２】
尚、本発明は上記の実施形態に限定されるものではなく、その要旨の範囲内において種々の変形が可能である。例えば、上記の実施形態では、識別情報としてＩＣタグのＩＤ番号を用いたが、ＩＣタグの代わりにバーコード・タグを用いてもよい。
【００６３】
また、上記の実施形態では、住宅の性能評価を行う場合について説明したが、住宅だけでなく、ビル工事や道路工事や土木工事等の各種の工事に本発明を適用することができる。
【００６４】
また、上記の実施形態では、検査報告データに時刻データや位置データを付与する場合について説明したが、これらのデータは省略することも可能である。また、上記の実施形態では、工事番号を用いる場合について説明したが、この工事番号は省略することも可能である。
【００６５】
また、上記の実施形態では、各性能保証機関が検査指示データを作成する場合について説明したが、検査指示データは各性能保証機関に共通なものとしてもよい。また、上記の実施形態では、携帯端末として携帯電話を使用する場合について説明したが、携帯端末はＰＨＳ等であってもよい。
【００６６】
また、上記の実施形態では、一の検査対象に対して一のＩＣタグを貼り付けたものを、カメラで撮影した画像データを用いる場合について説明したが、一の検査対象に対して複数のＩＣタグを貼り付けるようにしてもよいし、或いはＩＣタグが貼り付けられた複数の検査対象を一枚の写真に収まるようにした画像データを収集するようにしてもよい。これにより、より信頼度の高い検査対象の画像データを収集することができる。
【００６７】
また、情報収集サーバ１０に格納した公証付きの検査報告データは、性能保証機関だけでなく、その住宅のオーナ等に閲覧可能となるように構成してもよい。これにより、住宅のオーナも自宅の性能評価を行うことができ、また、この画像データを参考にしてメンテナンスを行うことが可能となる。
【００６８】
また、上記の実施形態では、情報収集サーバをアプリケーション・サービス・プロバイダに配置する場合について説明したが、情報収集サーバは性能保証機関に配置してもよいし、その他の場所に配置してもよい。
【００６９】
また、本発明は、工事のデータを収集するだけなく、画像データを収集して管理する場合、例えば食品等のトレーサビリティにも適用することができる。
【産業上の利用可能性】
【００７０】
以上説明したように、本発明の施工管理システムによれば、検査対象にＩＣタグを貼り付けて、その検査対象の画像データを収集するので、工事の途中でも、工事の大幅な中断なしに、信頼性の高い検査対象の画像データを収集することができる。性能保証機関の審査官は、こうして収集した信頼性の高い画像データに基づいて、住宅の性能評価を行うができる。したがって、本発明は、性能保証機関による住宅の性能評価に適用することができる。
【図面の簡単な説明】
【００７１】
【図１】本発明の一実施形態である施工管理システムの概略構成図である。
【図２】本実施形態である施工管理システムの情報収集サーバの概略機能ブロック図である。
【図３】情報収集サーバに格納されている検査指示データの具体例を説明するための図である。
【図４】情報収集サーバに格納されている公証付きの検査報告データの具体例を説明するための図である。
【図５】本実施形態である施工管理システムの携帯電話の概略機能ブロック図である。
【図６】携帯電話を用いて情報収集サーバから検査指示データを受信するときの処理手順を説明するための図である。
【図７】情報収集サーバが携帯電話から検査報告データを受信したときの処理手順を示す図である。
【符号の説明】
【００７２】
１０  情報収集サーバ
１１  データベース
１１１  検査指示データベース
１１２  報告データベース
１２  管理機能
１３  通信機能
２１  端末
２２  ＩＣタグリーダ
３１ａ、３１ｂ、３１ｃ、・・・  携帯電話
３２ａ、３２ｂ、３２ｃ、・・・  ＩＣタグリーダ
４０  タイムスタンプサーバ
５０  位置情報提供サーバ
１２１  検査指示データ登録機能
１２２  検査指示表示機能
１２３  位置情報付加機能
１２４  時刻情報付加機能
１２５  報告データ格納機能
１２６  報告データ検索機能
【図１】
2007183813.tif 000003
【図２】
2007183813.tif 000004
【図３】
2007183813.tif 000005
【図４】
2007183813.tif 000006
【図５】
2007183813.tif 000007
【図６】
2007183813.tif 000008
【図７】
2007183813.tif 000009